【手続補正書】
【提出日】平成23年6月24日(2011.6.24)
【手続補正１】
【補正対象書類名】特許請求の範囲
【補正対象項目名】全文
【補正方法】変更
【補正の内容】
【特許請求の範囲】
【請求項１】
複数の画像処理装置とネットワークを介して通信可能な情報処理装置であって、
画像処理装置に実行させるジョブの制限を行うための制限情報を該ジョブのデータに付与する付与手段と、
前記画像処理装置が前記制限情報を解釈する機能を有している場合には前記制限情報を付与した前記ジョブのデータを該画像処理装置に送信し、前記画像処理装置が前記制限情報を解釈する機能を有していない場合には前記制限情報の制限内容を反映した前記ジョブのデータを該画像処理装置に送信する送信手段と
を備えることを特徴とする情報処理装置。
【請求項２】
更に、前記画像処理装置が前記制限情報を解釈する機能を有していない場合に、該制限情報を解釈する機能を有する画像処理装置を前記ネットワークに接続された各画像処理装置の中から探索する探索手段と、
前記探索手段によって探索された画像処理装置へ前記制限情報が付与されたジョブのデータを転送する転送手段と
を備えることを特徴とする請求項１に記載の情報処理装置。
【請求項３】
前記ジョブのデータに含まれる画像データを、前記制限情報の制限内容に従って変換する変換手段を更に備え、
前記送信手段は、前記変換手段によって変換された画像データを前記画像処理装置へ送信することを特徴とする請求項１又は２に記載の情報処理装置。
【請求項４】
ネットワークを介して他の装置と通信可能な画像処理装置であって、
前記ネットワークに接続された他の装置から、ジョブの実行を依頼するための情報を含むデバイスプロファイルの要求を受信する受信手段と、
ジョブの実行を制限するための制限情報を解釈する機能を前記他の装置が有する場合には、自装置の特定の機能の利用を可能とする第１のデバイス情報を特定するための第１特定情報を含んだデバイスプロファイルを該他の装置に送信し、前記他の装置が前記制限情報を解釈する機能を有さない場合には、前記デバイスプロファイルを前記他の装置へ送信しないよう制御する制御手段と
を備えることを特徴とする画像処理装置。
【請求項５】
前記制御手段は、前記他の装置が前記制限情報を解釈する機能を有していない場合には前記制限情報を解釈可能な画像処理装置を前記ネットワーク内で探索し、探索された画像処理装置に対して前記第１特定情報を含んだデバイスプロファイルを送信することを特徴とする請求項４に記載の画像処理装置。
【請求項６】
複数の画像処理装置とネットワークを介して通信可能な情報処理装置の制御方法であって、
付与手段が、画像処理装置に実行させるジョブの制限を行うための制限情報を該ジョブのデータに付与する付与ステップと、
送信手段が、前記画像処理装置が前記制限情報を解釈する機能を有している場合には前記制限情報を付与した前記ジョブのデータを該画像処理装置に送信し、前記画像処理装置が前記制限情報を解釈する機能を有していない場合には前記制限情報の制限内容を反映した前記ジョブのデータを該画像処理装置に送信する送信ステップと
を実行することを特徴とする情報処理装置の制御方法。
【請求項７】
ネットワークを介して他の装置と通信可能な画像処理装置の制御方法であって、
受信手段が、前記ネットワークに接続された他の装置から、ジョブの実行を依頼するための情報を含むデバイスプロファイルの要求を受信する受信ステップと、
制御手段が、ジョブの実行を制限するための制限情報を解釈する機能を前記他の装置が有する場合には、自装置の特定の機能の利用を可能とする第１のデバイス情報を特定するための第１特定情報を含んだデバイスプロファイルを該他の装置に送信し、前記他の装置が前記制限情報を解釈する機能を有さない場合には、前記デバイスプロファイルを前記他の装置へ送信しないように制御する制御ステップと
を実行することを特徴とする画像処理装置の制御方法。
【請求項８】
複数の画像処理装置とネットワークを介して通信可能な情報処理装置に制御方法を実行させるためのコンピュータプログラムであって、
付与手段が、画像処理装置に実行させるジョブの制限を行うための制限情報を該ジョブのデータに付与する付与ステップと、
送信手段が、前記画像処理装置が前記制限情報を解釈する機能を有している場合には前記制限情報を付与した前記ジョブのデータを該画像処理装置に送信し、前記画像処理装置が前記制限情報を解釈する機能を有していない場合には前記制限情報の制限内容を反映した前記ジョブのデータを該画像処理装置に送信する送信ステップと
を実行させることを特徴とするコンピュータプログラム。
【請求項９】
ネットワークを介して他の装置と通信可能な画像処理装置の制御方法をコンピュータに実行させるコンピュータプログラムであって、
受信手段が、前記ネットワークに接続された他の装置から、ジョブの実行を依頼するための情報を含むデバイスプロファイルの要求を受信する受信ステップと、
制御手段が、ジョブの実行を制限するための制限情報を解釈する機能を前記他の装置が有する場合には、自装置の特定の機能の利用を可能とする第１のデバイス情報を特定するための第１特定情報を含んだデバイスプロファイルを該他の装置に送信し、前記他の装置が前記制限情報を解釈する機能を有さない場合には、前記デバイスプロファイルを前記他の装置へ送信しないように制御する制御ステップと
を実行させることを特徴とするコンピュータプログラム。
【手続補正２】
【補正対象書類名】明細書
【補正対象項目名】発明の名称
【補正方法】変更
【補正の内容】
【発明の名称】情報処理装置、画像処理装置、それらの制御方法、及びコンピュータプログラム
【手続補正３】
【補正対象書類名】明細書
【補正対象項目名】０００１
【補正方法】変更
【補正の内容】
【０００１】
本発明は、ジョブの実行を制限する情報処理装置、画像処理装置、それらの制御方法、及びコンピュータプログラムに関するものである。
【手続補正４】
【補正対象書類名】明細書
【補正対象項目名】０００５
【補正方法】変更
【補正の内容】
【０００５】
本発明は、上述の問題に鑑みて成されたものであり、機能制限情報等を解釈する高度な機能が備えられない画像処理装置に対しても、ジョブを実行する際の機能を柔軟に制限することが可能な情報処理装置、画像処理装置、及びそれらの制御方法を提供することを目的とする。
【手続補正５】
【補正対象書類名】明細書
【補正対象項目名】０００６
【補正方法】変更
【補正の内容】
【０００６】
本発明は、複数の画像処理装置とネットワークを介して通信可能な情報処理装置であって、画像処理装置に実行させるジョブの制限を行うための制限情報を該ジョブのデータに付与する付与手段と、前記画像処理装置が前記制限情報を解釈する機能を有している場合には前記制限情報を付与した前記ジョブのデータを該画像処理装置に送信し、前記画像処理装置が前記制限情報を解釈する機能を有していない場合には前記制限情報の制限内容を反映した前記ジョブのデータを該画像処理装置に送信する送信手段とを備えることを特徴とする。
【手続補正６】
【補正対象書類名】明細書
【補正対象項目名】０００７
【補正方法】変更
【補正の内容】
【０００７】
また、本発明は、ネットワークを介して他の装置と通信可能な画像処理装置であって、前記ネットワークに接続された他の装置から、ジョブの実行を依頼するための情報を含むデバイスプロファイルの要求を受信する受信手段と、ジョブの実行を制限するための制限情報を解釈する機能を前記他の装置が有する場合には、自装置の特定の機能の利用を可能とする第１のデバイス情報を特定するための第１特定情報を含んだデバイスプロファイルを該他の装置に送信し、前記他の装置が前記制限情報を解釈する機能を有さない場合には、前記デバイスプロファイルを前記他の装置へ送信しないよう制御する制御手段とを備えることを特徴とする。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】変更
【補正の内容】
【０００９】
本発明は、例えば、機能制限情報等を解釈する高度な機能が備えられない画像処理装置に対しても、ジョブを実行する際の機能を柔軟に制限する情報処理装置、画像処理装置、及びそれらの制御方法を提供できる。
【手続補正９】
【補正対象書類名】図面
【補正対象項目名】図１４
【補正方法】変更
【補正の内容】
【図１４】
2010009318.tif 000001
【手続補正１０】
【補正対象書類名】図面
【補正対象項目名】図１５
【補正方法】変更
【補正の内容】
【図１５】
2010009318.tif 000002